(57)【要約】      （修正有）【課題】水槽設置空間を有効に利用して太陽光発電を行うため、水槽と太陽光電池モジュールパネルの一体感を保ち、水槽の保守・点検を容易に行う水槽を提供する。【解決手段】太陽光発電システム付水槽の外観図に示すように、成形パネル４と太陽光電池モジュールパネルを一体化した複合パネル７を用いる。これによって、水槽１と太陽光電池モジュールパネルは、一体感を持って水槽の外観には違和感が生じなくなる。さらに、成形パネル４と太陽光電池モジュールパネルとの間の空間が完全に閉じられるので、落ち葉等のごみ溜まりがなくて、保守点検は従来通り行うことができる。なお、一体化した複合パネルを用いることによって、天井面２だけではなく、側面３にも設置できるので、トータルの発電能力のアップが大いに期待できる。【選択図】図５
0003161960.tif 000002
【実用新案登録請求の範囲】
【請求項１】
水槽において、水槽の外壁（天井面、側面）に対して平行に覆うように太陽光電池モジュールパネルを設置する太陽光発電システム付水槽を特徴とする水槽。
【請求項２】
請求項１に記載の水槽の外壁（天井面、側面）を構成するパネルにおいては、太陽光電池モジュールパネルと成形パネルを溶接方法で一体化させたことを特徴とする複合パネル。
【考案の詳細な説明】
【技術分野】
【０００１】
本考案は、太陽光発電システム付水槽の外壁構造に関する技術である。
【背景技術】
【０００２】
図１に示すように、水槽１の外壁（天井面２、側面３）は、複数枚の成形パネル４の連結によって構成される。
【０００３】
通常、水槽１の設置空間を有効に利用して太陽光発電を行う場合、まず、水槽の天井面２に架台５を設置し、さらに太陽光電池モジュールパネル６を架台５に取り付ける。なお、発電効率を得るために天井面２に対して太陽光電池モジュールパネル６を傾斜に設置するのが一般的である。つまり、太陽光電池ユニット５、６を水槽の天井面に置くだけの方法になる。
【０００４】
上述の方法を採用する場合、以下のデメリットがある。
【０００５】
太陽光電池モジュールパネル６が傾斜に設置された場合、水槽１と太陽光電池モジュールパネル６は一体感を欠ける。また、天井面２に架台５が設置された場合、落ち葉等ごみが溜まりやすく、天井面２の清掃等が不便となる。
【０００６】
これらのデメリットは、水槽１の設置空間の利用による太陽光発電の普及を妨げる原因の一つにもなる。
【考案の開示】
【考案の効果】
【０００７】
本考案は、従来方法に比較して太陽光電池モジュールパネル６と水槽１の外壁を構成するパネル４を一体化させることによって、太陽光電池モジュールパネル６を水槽１の天井面２だけではなく側面３にも設置できるようになる。このため、設置面積の増大により発電能力を確保した上で、水槽１と太陽光電池モジュールパネル６の一体感を保ち、落ち葉等ごみ溜まりがないことを実現する。
【０００８】
よって、本考案の実施によって、水槽設置空間の利用による太陽光発電を一層普及させることが大いに期待できる。
【考案が解決しようとする課題】
【０００９】
太陽光発電は、二酸化炭素の排出による地球温暖化への対策の一つで、その普及が今後の国民経済の発展にとって重要な課題になる。
【課題を解決するための手段】
【００１０】
上記課題を解決するため、請求項１に記載の考案は、水槽１において、水槽の外壁（天井面２、側面３）に対して平行に覆うように太陽光電池モジュールパネル６を設置する太陽光発電システム付水槽を特徴とする水槽１を用いる。
【００１１】
請求項２に記載の考案は、水槽外壁（天井面２、側面３）を構成するパネルにおいては、太陽光電池モジュールパネル６と成形パネル４を溶接方法で一体化させたことを特徴とする複合パネル７を用いる。
【考案を実施するための最良の形態】
【００１２】
図５に考案を実施するための最良の実施形態を示す。
【実施例１】
【００１３】
本考案の実施例１は、本考案を実施するための最良の実施形態である。
【００１４】
以下では、図２〜図５を用いて実施例１について詳細に説明する。
【００１５】
図２に水槽１の外壁（天井面２、側面３）を構成する成形パネル４の詳細を示す。成形パネル４は、材質が金属製で、その縁部に取付け用のフランジ４aが付いて、成形パネル全体が皿状を呈する。また、成形パネルの剛性と強度を上げるために、皿状の成形パネルの底面４bに膨らみ４cが成形されている。
【００１６】
図３に太陽光電池のモジュールのパネル６の詳細を示す。太陽光電池モジュールパネル６は、その縁部に金属製のフランジ６aが付いて、その全体が皿状を呈する。太陽光電池モジュール６cがその底面６bに配置されている。
【００１７】
図４に水槽１の外壁（天井面２、側面３）を構成する複合パネル７の詳細を示す。複合パネル７は、水槽１の外壁（天井面２、側面３）を構成する成形パネル４と太陽光電池モジュールパネル６から構成される。両者の縁部に対して溶接線９を用いて連結する。
【００１８】
図５に成形パネル４と複合パネル７を用いて構築した水槽１の外観図を示す。複合パネル７の使用によって、太陽光電池モジュールパネル６は天井面２だけではなく、日が最も当たる側面３にも配置できる。
【００１９】
天井面２において、太陽光電池モジュールパネル６は、水平に設置されることになるので、傾斜設置に比べて発電効率が若干低下するが、側面３にも設置できるので、トータルの発電能力のアップが大いに期待できる。また、一体化複合パネルの使用によって、水槽１と太陽光電池モジュールパネル６は一体感を持つようになって水槽の外観には違和感が生じなくなる。さらに、成形パネル４と太陽光電池モジュールパネル６との間の空間が完全に閉じられるので、落ち葉等のごみ溜まりがなく保守点検は、従来通り行うことができる。
【００２０】
（変更例）
なお、実施例１は次のように変更して具体化することも可能である。
図６に示すように、水槽１の外壁（天井面２、側面３）を構成する複合パネル７の詳細を示す。両者の縁部に対して複数の連結バー８を介在し溶接で連結する。
これによって、成形パネル４の膨らみ４ｃの高さが太陽光電池モジュールパネル６のフランジ６aの高さより高い場合でも、複合パネル７の製作が可能となる。
【実施例２】
【００２１】
本考案の実施例２は、図７に示す。
【００２２】
以下では、実施例２について、実施例１に違う部分だけを図６を用いて説明する。
【００２３】
図７に示すように、実施例２において、水槽１の天井面２を水平に対して一定角度を有するように設計されるから、一体化された複合パネル７が水平に対して傾斜になる。
【図面の簡単な説明】
【００２４】
【図１】太陽光発電システム機能付水槽の外観図（従来）
【図２】水槽外壁（天井面、側面）を構成する成形パネルの詳細図
【図３】太陽光電池モジュールパネルの詳細図
【図４】水槽外壁（天井面、側面）を構成する複合パネルの構成
【図５】太陽光発電システム機能付水槽の外観（本考案の実施例１）
【図６】水槽外壁（天井面、側面）を構成する複合パネルの構成（実施例１の変更例）
【図７】太陽光発電システム機能付水槽の外観（本考案の実施例２）
【符号の説明】
【００２５】
１       水槽
２       水槽の天井面
３       水槽の側面
４       成形パネル
４a      成形パネルのフランジ
４b      成形パネルの底面
４c      成形パネルの底面の膨らみ
５       太陽光電池モジュールパネルを設置するための架台
６       太陽光電池モジュールパネル
６a      太陽光電池モジュールパネルのフランジ
６b      太陽光電池モジュールパネルの底面
６c      太陽光電池モジュール
７       複合パネル
８       連結バー
９       溶接線
【図１】
0003161960.tif 000003
【図２】
0003161960.tif 000004
【図３】
0003161960.tif 000005
【図４】
0003161960.tif 000006
【図５】
0003161960.tif 000007
【図６】
0003161960.tif 000008
【図７】
0003161960.tif 000009
【手続補正書】
【提出日】平成22年3月31日(2010.3.31)
【手続補正１】
【補正対象書類名】実用新案登録請求の範囲
【補正対象項目名】全文
【補正方法】変更
【補正の内容】
【実用新案登録請求の範囲】
【請求項１】
水槽において、水槽の外壁に対して平行に覆うように太陽光電池モジュールパネルを設置する太陽光発電システム付水槽を特徴とする水槽。
【請求項２】
水槽の外壁を構成するパネルにおいては、太陽光電池モジュールパネルと成形パネルを溶接方法で一体化させたことを特徴とする複合パネル。 
【手続補正２】
【補正対象書類名】明細書
【補正対象項目名】００１０
【補正方法】変更
【補正の内容】
【００１０】  上記課題を解決するため、請求項１に記載の考案は、水槽１において、水槽の外壁２，３に対して平行に覆うように太陽光電池モジュールパネル６を設置する太陽光発電システム付水槽を特徴とする水槽１を用いる。
【手続補正３】
【補正対象書類名】明細書
【補正対象項目名】００１１
【補正方法】変更
【補正の内容】
【００１１】  水槽外壁２，３を構成するパネルにおいては、太陽光電池モジュールパネル６と成形パネル４を溶接方法で一体化させたことを特徴とする複合パネル７を用いる。
【手続補正書】
【提出日】平成22年6月11日(2010.6.11)
【手続補正１】
【補正対象書類名】実用新案登録請求の範囲
【補正対象項目名】全文
【補正方法】変更
【補正の内容】
【実用新案登録請求の範囲】
【請求項１】
水槽において、水槽の外壁に対して平行に覆うように太陽光電池モジュールパネルを設置すること特徴とする太陽光発電システム付水槽。
【請求項２】
前記の外壁と太陽光電池モジュールパネルは、溶接方法で一体化されてなることを特徴とする請求項１に記載の太陽光発電システム付水槽。
【手続補正２】
【補正対象書類名】明細書
【補正対象項目名】００１０
【補正方法】変更
【補正の内容】
【００１０】
上記課題を解決するため、請求項１に記載の考案は、水槽１において、水槽の外壁２、３に対して平行に覆うように太陽光電池モジュールパネル６を設置することを特徴とする太陽光発電システム付水槽１を用いる。
【手続補正３】
【補正対象書類名】明細書
【補正対象項目名】００１１
【補正方法】変更
【補正の内容】
【００１１】
請求項２に記載の考案は、前記の外壁２、３と太陽光電池モジュールパネル６は、溶接方法で一体化されてなることを特徴とする請求項１に記載の太陽光発電システム付水槽を用いる。